(57)【要約】【課題】床面の不陸を吸収して見栄えよく施工できるとともに、補修も簡単に行なうことのできる幅木の構造を提供する。【解決手段】壁面下部に取付けられる幅木であって、該幅木は壁面に固定される固定部１と、化粧部２と、不陸調整部３とからなり、上記化粧部２は固定部１に着脱自在に取付けられ、上記不陸調整部３は軟質材料から構成されるとともに、床面Ｆの不陸を吸収するようにされた幅木の構造。好ましくは、上記不陸調整部３が側断面Ｌ字型に形成されるとともに、壁面Ｗと床面Ｆとがなすコーナー部に固定される。【選択図】図１
2005171657.tif 000002
【特許請求の範囲】
【請求項１】
壁面下部に取付けられる幅木であって、該幅木は壁面に固定される固定部と、化粧部と、不陸調整部とからなり、上記化粧部は固定部に着脱自在に取付けられ、上記不陸調整部は軟質材料から構成されるとともに、床面の不陸を吸収するようにされた幅木の構造。
【請求項２】
上記不陸調整部が側断面Ｌ字型に形成されるとともに、壁面と床面とがなすコーナー部に固定される請求項１に記載の幅木の構造。
【請求項３】
上記不陸調整部が舌片状に形成されるとともに、化粧部下部に付設される請求項１に記載の幅木の構造。
【請求項４】
上記化粧部が弾性を有する合成樹脂から形成されるとともに、固定部に着脱自在に弾性係止される請求項１に記載の幅木の構造。
【請求項５】
上記軟質材料が軟質ゴムである請求項１に記載の幅木の構造。
【発明の詳細な説明】
【技術分野】
【０００１】
本発明は、幅木の構造に関する。さらに詳しくは、壁面と床面との間で壁面の下部に設けられる幅木の構造に関する。
【背景技術】
【０００２】
例えば、駆体に壁パネル等を張り付けて室内の壁面を施工する場合、壁面と床面との間に幅木等の造作材を壁面の下部に沿って設け、見栄えよく仕上げることが行なわれている。このとき、床面の不陸（凹凸部）を拾うと幅木を水平に施工することが困難で、見栄えよく仕上げることができないという問題がある。また、幅木が断面積の大きな一体物であると、その一部に傷が付いても全体を取り替える必要があり、補修作業が困難となるという問題がある。
【特許文献１】実開平５−３４２３９号公報（第１−２頁、第１図）
【特許文献２】特開平６−９３７１１号公報（第１−４頁、第２〜５図）
【特許文献３】実開平３−４８０４７号公報（第１頁、第１図）
【発明の開示】
【発明が解決しようとする課題】
【０００３】
しかしながら、上記先行技術を用いても、床の不陸を吸収して、見栄えよく施工できる幅木を提供できるとは必ずしもいい難い。本発明はこのような状況の下で考え出されたものであって、床面の不陸を吸収して見栄えよく施工できるとともに、補修も簡単に行なうことのできる幅木の構造を提供することをその課題とする。
【課題を解決するための手段】
【０００４】
本発明においては、上記課題を解決するために、つぎのような技術的手段を講じている。すなわち、本発明によれば、壁面下部に取付けられる幅木であって、該幅木は壁面に固定される固定部と、化粧部と、不陸調整部とからなり、上記化粧部は固定部に着脱自在に取付けられ、上記不陸調整部は軟質材料から構成されるとともに、床面の不陸を吸収するようにされた幅木の構造が提供される。
【０００５】
上記不陸調整部が側断面Ｌ字型に形成されるとともに、壁面と床面とがなすコーナー部に固定されることが好ましい。
【０００６】
上記不陸調整部が舌片状に形成されるとともに、化粧部下部に付設されることが好ましい。
【０００７】
上記化粧部が弾性を有する合成樹脂から形成されるとともに、固定部に着脱自在に弾性係止されることが好ましい。上記弾性を有する合成樹脂としては、ポリプロピレン、硬質塩化ビニル、ＡＢＳ樹脂等があげられる。また、不陸調整部を構成する軟質材料としては軟質ゴムが好ましい。
【発明の効果】
【０００８】
請求項１に記載の発明は上記のとおりであり、とくに、化粧部は固定部に着脱自在に取付けられ、上記不陸調整部は軟質材料から構成されるとともに、床面の不陸を吸収するようにされているため、化粧部が傷ついたときは、化粧部のみを取り替えればよいため、簡単に補修することができる。
【０００９】
上記不陸調整部が側断面Ｌ字型に形成されるとともに、壁面と床面とがなすコーナー部に固定されるため、床面の不陸を吸収して床面に水平に取付けることが可能であり、このようにして取付けられた不陸調整部を基準にして固定部を床面と水平に、見栄えよく施工することができる。
【００１０】
上記不陸調整部が舌片状に形成されるとともに、化粧部下部に付設されるため、この不陸調整部は、床面の不陸を吸収するとともに、床面上方で床面と水平に壁面に取付けられた固定部の下方を目隠し、見栄えよく施工することができる。
【発明を実施するための最良の形態】
【００１１】
以下、本発明の実施形態について図面を参照して、詳細に説明する。図１は、本発明にかかる幅木の構造の第一実施形態を示す分解斜視図である。図１からよくわかるように、上記幅木の構造は、壁面Ｗに固定される固定部１と、固定部１に着脱自在に取付けられる化粧部２と、壁面Ｗと床面Ｆとがなすコーナー部に固定される不陸調整部３とからなり、固定部１には固定用ビスを通すビス孔１３が設けられ、軟質ゴムからなる不陸調整部３は、接着剤によって上記コーナー部に接着、固定されている。
【００１２】
図２は、図１に示す幅木の構造を壁面Ｗの下部に沿って施工した状態を示す側断面図である。図２からよくわかるように、ビス孔１３を通して固定部１を固定したビスＢのヘッドは化粧部２によって目隠しされ、見栄えよく仕上げることができる。また、化粧部２は弾性を有する合成樹脂から形成されるとともに、上部係合部２１と下部係合部２２とを有し、固定部１の上部係止片１１と下部係止片１２とそれぞれ着脱自在に係止される。したがって、化粧部２が傷が付いたとき等は、化粧部２のみを取り替えればよいため、簡単に補修することができる。
【００１３】
上記不陸調整部３は、軟質ゴムから構成されているため、床面Ｆの不陸を吸収して床面に水平に取付けることが可能であり、このようにして取付けられた不陸調整部３を基準にして固定部１を取付けることができるため、本発明の幅木の構造を、床面と水平に、見栄えよく施工できる。
【００１４】
図３は、本発明にかかる幅木の構造の第二実施形態を示す分解斜視図である。図３において、上記幅木の構造は、壁面Ｗに固定される固定部４と、固定部４に着脱自在に取付けられる化粧部５と、この化粧部５に付設された不陸調整部６とからなり、軟質ゴムからなる不陸調整部６は化粧部５と一体的に形成されている。
【００１５】
図４は、図３に示す第二実施形態の幅木の構造を壁面Ｗの下部に沿って施工した状態を示す側断面図である。図４からよくわかるように、固定部４は、床面Ｆから浮かせて壁面Ｗに取付けられるため、床面Ｆに平行に施工することが可能であり、また、ビス孔４３を通して固定部４を固定したビスＢのヘッドは化粧部５によって目隠しされるため、見栄えよく仕上げることができる。
【００１６】
化粧部５は弾性を有する合成樹脂から形成されるとともに、上部係合部５１と下部係合部５２とを有し、固定部４の上部係止片４１と下部係止片４２とそれぞれ着脱自在に係止される。また、化粧部５の下部には不陸調整部６が付設され、この不陸調整部６は床面Ｆの不陸を吸収するとともに、固定部４の下方を目隠しする。したがって、化粧部５あるいは不陸調整部６に傷が付いたとき等は、化粧部２とこれに付設した不陸調整部６を取り替えればよいため、簡単に補修することができる。
【図面の簡単な説明】
【００１７】
【図１】本発明にかかる幅木の構造の第一実施形態を示す分解斜視図である。
【図２】図１に示す幅木の構造を壁面の下部に沿って施工した状態を示す側断面図である。
【図３】本発明にかかる幅木の構造の第二実施形態を示す分解斜視図である。
【図４】図３に示す幅木の構造を壁面の下部に沿って施工した状態を示す側断面図である。
【符号の説明】
【００１８】
１        第１実施形態における固定部
１１      同上上部係止片
１２      同上下部係止片
１３      同上ビス孔
２        第１実施形態における化粧部
２１      同上上部係合部
２２      同上下部係合部
３        第１実施形態における不陸調整部
４        第２実施形態における固定部
４１      同上上部係止片
４２      同上下部係止片
４３      同上ビス孔
５        第２実施形態における化粧部
５１      同上上部係合部
５２      同上下部係合部
６        第２実施形態における不陸調整部
Ｂ        固定用ビス
Ｗ        壁面
Ｆ        床面
【図１】
2005171657.tif 000003
【図２】
2005171657.tif 000004
【図３】
2005171657.tif 000005
【図４】
2005171657.tif 000006